(57)【要約】【課題】非表示部の遮光性を向上することができ、ひいては、良好な液晶表示を実現することのできる半透過反射型液晶表示パネルを提供する。【解決手段】非表示部形成領域１８に形成される疑似反射部３３が、反射部カラーフィルタ１４と反射膜５とのそれぞれに代替する疑似反射部第１遮光膜３８と疑似反射部第２遮光膜３６とを有し、疑似透過部３４が、透過部カラーフィルタ１５に代替する疑似透過部第１遮光膜４０と、この疑似透過部第１遮光膜４０の反視認側に位置し、前記疑似反射部第２遮光膜３６と一体的に形成された疑似透過部第２遮光膜３９とを有している。【選択図】　　　図１
2004118025.tif 000002
【特許請求の範囲】
【請求項１】
シールを介して互いに貼り合わされた二枚の透明基板の間に液晶が封入され、前記両透明基板のうち反視認側となる一方の透明基板の内側における表示部形成領域の各単位画素形成領域内に、反射膜を介して反射部カラーフィルタが形成された反射部と、反射膜を介さずに透過部カラーフィルタが形成された透過部とを有し、かつ、前記表示部形成領域の外側の非表示部形成領域に、表示部と非表示部とのセルギャップを調整するための疑似反射部および疑似透過部が形成された半透過反射型液晶表示パネルにおいて、
前記疑似反射部は、前記反射部カラーフィルタと前記反射膜とのそれぞれに代替する疑似反射部第１遮光膜と疑似反射部第２遮光膜とを有し、前記疑似透過部は、前記透過部カラーフィルタに代替する疑似透過部第１遮光膜と、この疑似透過部第１遮光膜の反視認側に位置し、前記疑似反射部第２遮光膜と一体的に形成された疑似透過部第２遮光膜とを有していることを特徴とする半透過反射型液晶表示パネル。
【請求項２】
前記疑似反射部第２遮光膜と前記疑似透過部第２遮光膜とは、前記反射膜と同一の成膜材料によって形成されていることを特徴とする請求項１に記載の半透過反射型液晶表示パネル。
【請求項３】
前記疑似反射部第１遮光膜と前記疑似透過部第１遮光膜とは、暗色系の光吸収膜から形成されていることを特徴とする請求項１または請求項２に記載の半透過反射型液晶表示パネル。
【請求項４】
前記疑似反射部第１遮光膜および前記疑似透過部第１遮光膜の少なくとも一方は、前記シールに対向する平面上の位置まで形成されていることを特徴とする請求項１乃至請求項３のいずれか１項に記載の半透過反射型液晶表示パネル。
【請求項５】
前記疑似反射部第２遮光膜および前記疑似透過部第２遮光膜は、前記シールに対向する平面上の位置よりも内側に形成されていることを特徴とする請求項１乃至請求項４のいずれか１項に記載の半透過反射型液晶表示パネル。
【請求項６】
前記反射部における前記反射部カラーフィルタと前記反射膜との間に、段差部が形成され、前記疑似反射部における前記疑似反射部第１遮光膜と前記疑似反射部第２遮光膜との間に、前記段差部に代替する疑似段差部が形成されていることを特徴とする請求項１乃至請求項５のいずれか１項に記載の半透過反射型液晶表示パネル。
【発明の詳細な説明】
【０００１】
【産業上の利用分野】
本発明は、半透過反射型液晶表示パネルに係り、特に、透明基板の内側における表示部形成領域の各単位画素形成領域内に、反射膜を介して反射部カラーフィルタが形成された反射部と、反射膜を介さずに透過部カラーフィルタが形成された透過部とを有する半透過反射型液晶表示パネルに関する。
【０００２】
【従来の技術】
従来から、携帯電話等における表示手段として、シールを介して互いに貼り合わされた二枚の透明基板の間に液晶が封入され、この液晶の旋光性を利用して文字あるいは画像の表示を行う液晶表示パネルが広く用いられている。
【０００３】
また、近年、このような液晶表示パネルにおいては、主として低消費電力を目的として、バックライト等の光源から照射された光源光と、外部からパネル内に入射された外光とを選択的に利用して液晶表示を行う、いわゆる半透過反射型液晶表示パネルが採用されるようになった。
【０００４】
図２は、このような半透過反射型液晶表示パネル１において、反視認側となる一方の透明基板２に形成された薄膜構造を示したものである。前記透明基板２の厚み方向の内側における表示部形成領域３には、図示しない表示電極による最小表示単位となる単位画素を形成するための単位画素形成領域４が複数形成されている。
【０００５】
各単位画素形成領域４の上には、反射膜５を介して反射部カラーフィルタ６が形成された反射部８と、反射膜５を介さずに透過部カラーフィルタ９が形成された透過部１０とが互いに隣位するように形成されている。
【０００６】
そして、このようなカラーフィルタ６，９を備えた半透過反射型液晶表示パネル１によってカラー表示を行う場合は、図２において上方となる視認側から半透過反射型液晶表示パネル１の内部に外光が十分に入射される場合には、この外光を前記反射部カラーフィルタ６を透過させた後に前記反射膜５によって上部の液晶側に反射させ、この反射させた外光によってカラー画像を表示するようになっている。
【０００７】
一方、半透過反射型液晶表示パネル１の内部に十分な外光が入射されない場合は、前記透明基板２の図２において下方となる反視認側に配置されたバックライト等の図示しない光源からの照射光（以下、「光源光」と称する）を視認側へ向かって照射し、この照射した光源光を前記透過部カラーフィルタ９によって透過させ、この透過させた光によってカラー画像を表示するようになっている。
【０００８】
なお、図２において、前記反射部カラーフィルタ６が透過部カラーフィルタ９よりも膜厚が薄く形成されているが、これは、液晶表示に用いる光の透過回数が１回である透過部カラーフィルタ９に対して、反射部カラーフィルタ６による透過回数が２回であることに起因するものである。すなわち、両カラーフィルタ６，９の膜厚を同じにした場合、透過部１０よりも反射部８の色味が濃くなってしまうので、それを避けるためである（例えば、特許文献１参照）。
【０００９】
また、図２に示した前記反射部カラーフィルタ６と前記透過部カラーフィルタ９とは、別工程にて塗り分けるように形成されているが、図３に示すように、反射膜５の上にレジストからなる段差部１２を設け、この段差部１２の上に、反射部カラーフィルタ１４を透過部カラーフィルタ１５と塗り分けずに同一工程で形成する構成も採用されている（例えば、特願２００１−３３５２０６号参照）。
【００１０】
さらに、図４に示すように、表示部形成領域３の平面上の外側領域は、非表示部が形成される非表示部形成領域１８とされているが、この非表示部形成領域１８に、前記反射部８および前記透過部１０と同一の断面形状を呈する薄膜層構造が形成された半透過反射型液晶表示パネル１６も提案されている。
【００１１】
すなわち、図４に示すように、前記半透過反射型液晶表示パネル１６は、シール１９を介して互いに貼り合わされたフロント側基板２０およびリヤ側基板２からなる二枚の透明基板のうち、反視認側となるリヤ側基板２の内側における表示部形成領域３に、反射膜５、段差部１２および反射部カラーフィルタ１４が視認側に向かって順次積層形成されてなる反射部８と、反射膜５を介さずに反射部カラーフィルタ１４が形成されてなる透過部１０とを有している。
【００１２】
そして、前記リヤ側基板２の内側における非表示部形成領域１８の上には、反射膜２３、段差部２４およびブラックマスク等の遮光膜２５が順次積層形成されてなる疑似反射部２６と、反射膜２３を介さずに遮光膜２７が形成されてなる疑似透過部２８とが、互いに隣位するように形成されている。
【００１３】
なお、前記リヤ側基板２の内側表面には、前記表示部形成領域３および前記非表示部形成領域１８にわたって拡散層２９が全面的に形成されている。また、前記反射部８、前記透過部１０、前記疑似反射部２６および前記疑似透過部２８の上層には、アクリル樹脂等からなる平滑化膜３０が全面的に形成されている。なお、図示はしないが、前記表示部形成領域３上の平滑化膜３０の上層には、ＩＴＯ（酸化インジウムスズ）等からなる表示電極が形成されるようになっている。
【００１４】
このような構成を採る場合、非表示部形成領域１８に、例えば、膜厚が一定の遮光膜を全面的に形成する場合や、あるいは、前記透過部１０および前記反射部８のそれぞれと同一の膜厚部分を併有する遮光膜を全面的に形成する場合に比べて、セルギャップを保持するために液晶層に散布される図示しないスペーサの存在密度（支え密度）を、表示部と非表示部とで均一化することができる。これにより、表示部と非表示部とのセルギャップの均一化を図るようになっている。
【００１５】
【特許文献１】
特開２００１−２８１６４８号公報
【００１６】
【発明が解決しようとする課題】
ところで、図４に示した構成における前記表示部形成領域３および前記非表示部形成領域１８に形成された反射膜５，２３は、視認側から入射された外光を反射する反射膜として機能するだけではなく、反視認側から照射された光源光を遮光する遮光膜としても機能するようになっている。
【００１７】
特に、非表示部は、液晶表示を行わない部分であるため、非表示部形成領域１８の反射膜２３は、光源光を確実に遮光することが求められる。
【００１８】
しかし、図４に示す構成においては、非表示部形成領域１８の反射膜２３が、疑似反射部２６にのみ形成されていたことにより、前記疑似反射部２６と、これに隣位する疑似透過部２８との界面から光源光が漏洩し、この漏洩した光源光が上層の液晶層を通って視認側で視認されてしまうといった問題が生じていた。
【００１９】
本発明は、このような問題点に鑑みなされたもので、非表示部の遮光性を向上することができ、ひいては、良好な液晶表示を実現することのできる半透過反射型液晶表示パネルを提供することを目的とするものである。
【００２０】
【課題を解決するための手段】
前記目的を達成するため本発明の請求項１に係る半透過反射型液晶表示パネルの特徴は、シールを介して互いに貼り合わされた二枚の透明基板の間に液晶が封入され、前記両透明基板のうち反視認側となる一方の透明基板の内側における表示部形成領域の各単位画素形成領域内に、反射膜を介して反射部カラーフィルタが形成された反射部と、反射膜を介さずに透過部カラーフィルタが形成された透過部とを有し、かつ、前記表示部形成領域の外側の非表示部形成領域に、表示部と非表示部とのセルギャップを調整するための疑似反射部および疑似透過部が形成された半透過反射型液晶表示パネルにおいて、前記疑似反射部が、前記反射部カラーフィルタと前記反射膜とのそれぞれに代替する疑似反射部第１遮光膜と疑似反射部第２遮光膜とを有し、前記疑似透過部が、前記透過部カラーフィルタに代替する疑似透過部第１遮光膜と、この疑似透過部第１遮光膜の反視認側に位置し、前記疑似反射部第２遮光膜と一体的に形成された疑似透過部第２遮光膜とを有している点にある。
【００２１】
そして、このような構成を採用したことにより、疑似反射部と疑似透過部とによって表示部と非表示部とのセルギャップの均一化を図りつつ、疑似反射部の疑似反射部第１遮光膜と疑似透過部の疑似透過部第１遮光膜とによって外光等の反射光を遮光することができ、さらに、疑似反射部の疑似反射部第２遮光膜と、この疑似反射部第２遮光膜と一体的に形成された疑似透過部の疑似透過部第２遮光膜とによって、反視認側から照射された光源光を確実に遮光することができ、これによって非表示部の遮光性を適正に確保することができる。
【００２２】
請求項２に係る半透過反射型液晶表示パネルの特徴は、請求項１において、前記疑似反射部第２遮光膜と前記疑似透過部第２遮光膜とは、前記反射膜と同一の成膜材料によって形成されている点にある。
【００２３】
そして、このような構成を採用したことにより、前記疑似反射部第２遮光膜と前記疑似透過部第２遮光膜とを、前記反射膜と同一工程で形成することができ、ひいては半透過反射型液晶表示パネルの製造効率を向上することができる。
【００２４】
請求項３に係る半透過反射型液晶表示パネルの特徴は、請求項１または請求項２において、前記疑似反射部第１遮光膜および前記疑似透過部第１遮光膜が、暗色系の光吸収膜から形成されている点にある。
【００２５】
そして、このような構成を採用したことにより、非表示部の遮光性をさらに向上することができる。
【００２６】
請求項４に係る半透過反射型液晶表示パネルの特徴は、請求項１乃至請求項３のいずれか１項において、前記疑似反射部第１遮光膜および前記疑似透過部第１遮光膜の少なくとも一方が、前記シールに対向する平面上の位置まで形成されている点にある。
【００２７】
そして、このような構成を採用したことにより、シールの形成部からの光漏れを防止して遮光性をさらに向上することができる。
【００２８】
請求項５に係る半透過反射型液晶表示パネルの特徴は、請求項１乃至請求項４のいずれか１項において、前記疑似反射部第２遮光膜および前記疑似透過部第２遮光膜が、前記シールに対向する平面上の位置よりも内側に形成されている点にある。
【００２９】
そして、このような構成を採用したことにより、導電性を有する材料によって前記疑似反射部第２遮光膜と前記疑似透過部第２遮光膜とを形成する場合、これらの遮光膜が、二枚の透明基板に形成された表示電極を互いに導通させるためにシール内に混入される導電材料と導通してしまうことを防止することができる。
【００３０】
請求項６に係る半透過反射型液晶表示パネルの特徴は、請求項１乃至請求項５のいずれか１項において、前記反射部における前記反射部カラーフィルタと前記反射膜との間に、段差部が形成され、前記疑似反射部における前記疑似反射部第１遮光膜と前記疑似反射部第２遮光膜との間に、前記段差部に代替する疑似段差部が形成されている点にある。
【００３１】
そして、このような構成を採用したことにより、表示部と非表示部とのセルギャップの均一化を図りつつ、反射部の輝度低下を抑制してより良好な液晶表示を実現することができる。
【００３２】
【発明の実施の形態】
以下、本発明に係る半透過反射型液晶表示パネルの実施形態について図１を参照して説明する。なお、従来と基本的構成の同一もしくはこれに類する箇所については、同一の符号を用いて説明する。
【００３３】
図１に示すように、本実施形態における半透過反射型液晶表示パネル３２は、内側表面に拡散層２９が形成されたリヤ側基板２の内側における表示部形成領域３の各単位画素形成領域４に、金属製の反射膜５、段差部１２および反射部カラーフィルタ１４が順次積層形成されてなる反射部８と、透過部カラーフィルタ９のみからなる透過部１０とを有する点において、図４に示した構成と同様である。
【００３４】
ただ、本実施形態における半透過反射型液晶表示パネル３２は、図４に示した構成と異なり、非表示部形成領域１８上の薄膜層構造に特徴的な差異を有している。
【００３５】
すなわち、本実施形態における半透過反射型液晶表示パネル３２は、表示部形成領域３の外側の非表示部形成領域１８に、表示部と非表示部とのセルギャップを均一にするための疑似反射部３３および疑似透過部３４を有している。
【００３６】
前記疑似反射部３３は、前記反射部８の前記反射膜５に代替する疑似反射部第２遮光膜３６と、前記反射部８の前記段差部１２に代替する疑似段差部３７と、前記反射部８の前記反射部カラーフィルタ１４に代替する疑似反射部第１遮光膜３８とを、視認側に向かって順次積層させることによって形成されている。
【００３７】
なお、前記疑似段差部３７は、前記段差部１２と同一のレジスト材料から形成するようにしてもよい。
【００３８】
さらに、前記疑似透過部３４は、前記疑似反射部第２遮光膜３６と同一工程にて一体的に形成された疑似透過部第２遮光膜３９と、前記透過部１０の透過部カラーフィルタ９に代替する疑似透過部第１遮光膜４０とを、視認側に向かって順次積層させることによって形成されている。
【００３９】
このように非表示部形成領域１８の薄膜層構造を構成することにより、前記疑似反射部３３と前記疑似透過部３４とによって表示部と非表示部とのセルギャップの均一化を図りつつ、前記疑似反射部第１遮光膜３８と前記疑似透過部第１遮光膜４０とによって、視認側から入射した外光を確実に遮光することができる。
【００４０】
さらに、前記疑似反射部第２遮光膜３６と、この疑似反射部第２遮光膜３６と一体的に形成された前記疑似透過部第２遮光膜３９とによって、疑似透過部３３および疑似反射部３４における反視認側の部位に、これら疑似透過部３３と疑似反射部３４との界面が形成される状態を回避することができる。この結果、図４に示した構成とは異なり、反視認側から照射された光源光の漏洩を防止して、光源光の遮光を確実に行うことができる。
【００４１】
従って、本実施形態においては、非表示部の遮光性を適正に確保することができるようになっている。
【００４２】
また、上記の構成に加えて、前記疑似反射部第２遮光膜３６と前記疑似透過部第２遮光膜３９とを、前記反射膜５と同一の成膜材料（例えば金属薄膜）によって形成するようにしてもよい。
【００４３】
このようにすれば、前記疑似反射部第２遮光膜３６および前記疑似透過部第２遮光膜３９を、前記反射膜５と同一工程で形成することができ、ひいては半透過反射型液晶表示パネル３２の製造効率を向上することができる。
【００４４】
さらに、前記疑似反射部第１遮光膜３８と前記疑似透過部第１遮光膜４０とを、暗色系の光吸収膜によって形成するようにしてもよい。
【００４５】
このようにすれば、非表示部の遮光性をさらに向上することができる。
【００４６】
さらにまた、前記疑似反射部第１遮光膜３８と前記疑似透過部第１遮光膜４０との少なくとも一方を、前記シール１９に対向する平面上の位置まで形成するようにしてもよい。
【００４７】
このようにすれば、シール１９の形成部からの光漏れを防止して遮光性をさらに向上することができる。
【００４８】
なお、図１においては、疑似反射部第１遮光膜３８が、前記シール１９に対向する平面上の位置に形成されている。
【００４９】
また、前記疑似反射部第２遮光膜３６と前記疑似透過部第２遮光膜３９とを、前記シール１９に対向する位置よりも内側に形成するようにしてもよい。
【００５０】
ここで、前記シール１９の内部には、前記フロント側基板２０および前記リヤ側基板２の内側表面に形成された表示電極の引き回し配線を互いに導通するための導電性ビーズ等からなる導電材料（図示せず）が混入される場合がある。この場合、前記疑似反射部第２遮光膜３６と前記疑似透過部第２遮光膜３９とを金属製の成膜材料によって形成し、さらにその形成範囲を前記シール１９の対向位置まで延在させると、前記シール１９内の導電材料によって前記疑似反射部第２遮光膜３６および前記疑似透過部第２遮光膜３９と表示電極とが互いに導通されてしまう虞がある。
【００５１】
そこで、前記のように、前記疑似反射部第２遮光膜３６および前記疑似透過部第２遮光膜３９の形成範囲が前記シール１９の形成範囲に重ならないように構成すれば、両第２遮光膜３６，３９と表示電極との導通を防止することができ、適正な液晶表示を実現することができる。
【００５２】
なお、図１においては、前記シール１９に対向する平面上の位置には、前記疑似反射部３３の一つが形成されているが、この疑似反射部３３には、前記疑似反射部第２遮光膜３６が形成されていない。
【００５３】
次に、本実施形態の作用について説明する。
【００５４】
本実施形態における半透過反射型液晶表示パネル３２によってカラー表示を行う場合は、従来と同様に、図１において上方となる視認側から半透過反射型液晶表示パネル３２の内部に外光が十分に入射される場合には、この外光を前記反射部カラーフィルタ１４を透過させた後に前記反射膜５によって上部の液晶側に反射させ、この反射させた外光によってカラー画像を表示する。
【００５５】
このとき、視認側から前記疑似反射部第２遮光膜３６および前記疑似透過部第２遮光膜３９の側へ向かって入射する外光を、前記疑似反射部第１遮光膜３８および前記疑似透過部第１遮光膜４０によって遮光することができるため、この外光が前記疑似反射部第２遮光膜３６によって視認側に反射されることを防止することができる。
【００５６】
一方、十分な外光が入射されない場合は、リヤ側基板２の図１において下方となる反視認側に配置されたバックライト等からの光源光を視認側に向かって照射し、この照射した光源光を、前記透過部カラーフィルタ１５によって透過させ、この透過させた光によってカラー画像を表示する。
【００５７】
このとき、前記疑似反射部第２遮光膜３６と、前記疑似透過部第２遮光膜３９とによって、光源光を適正に遮光することができる。
【００５８】
したがって、本実施形態においては、前記疑似反射部第１遮光膜３８、前記疑似段差部３７および前記疑似反射部第２遮光膜３６からなる前記疑似反射部３３と、前記疑似透過部第１遮光膜４０および前記疑似透過部第２遮光膜３９からなる前記疑似透過部３４によって、表示部と非表示部とのセルギャップの均一化を図りつつ、非表示部の遮光性を適正に確保することができる。
【００５９】
なお、本発明は前記実施形態のものに限定されるものではなく、必要に応じて種々変更することが可能である。
【００６０】
例えば、前記段差部１２と、この段差部１２に代替する前記疑似段差部３７とは、必要に応じて設けるようにすればよい。
【００６１】
また、表示部形成領域に配設される反射部カラーフィルタ、透過部カラーフィルタは一つの色のカラーフィルタである必要はなく、赤（Ｒ）、緑（Ｇ）、青（Ｂ）等の色の異なるカラーフィルタを各単位画素形成領域内に配設するようにしてもよい。
【００６２】
【発明の効果】
以上述べたように本発明の請求項１に係る半透過反射型液晶表示パネルによれば、表示部と非表示部とのセルギャップを調整して均一化しつつ非表示部の視認性を向上することができ、高品位な液晶表示を実現することができる。
【００６３】
また、請求項２に係る半透過反射型液晶表示パネルによれば、請求項１に係る半透過反射型液晶表示パネルの効果に加えて、さらに製造効率を向上することができる。
【００６４】
また、請求項３に係る半透過反射型液晶表示パネルによれば、請求項１または請求項２に係る半透過反射型液晶表示パネルの効果に加えて、非表示部の遮光性をさらに向上することができる。
【００６５】
また、請求項４に係る半透過反射型液晶表示パネルによれば、請求項１乃至請求項３のいずれか１項に係る半透過反射型液晶表示パネルの効果に加えて、非表示部をさらに適正に遮光して表示品位をさらに向上することができる。
【００６６】
また、請求項５に係る半透過反射型液晶表示パネルによれば、請求項１乃至請求項４のいずれか１項に係る半透過反射型液晶表示パネルの効果に加えて、安定的な液晶表示を実現することができ、信頼性を向上することができる。
【００６７】
また、請求項６に係る半透過反射型液晶表示パネルによれば、反射部のカラーフィルタの膜厚を簡便に調整することができ、反射輝度の低下を抑制して良好な液晶表示を得ることができる。
【図面の簡単な説明】
【図１】本発明に係る半透過反射型の半透過反射型液晶表示パネルの実施形態を示す概略断面図
【図２】従来から採用されていた半透過反射型液晶表示パネルの一例において、カラーフィルタの構成を示す断面図
【図３】従来から採用されていた半透過反射型液晶表示パネルの一例において、図２と異なるカラーフィルタの構成を示す断面図
【図４】従来から採用されていた半透過反射型液晶表示パネルの一例において、図２、図３と異なる他の一例を示す概略断面図
【符号の説明】
２　透明基板（リヤ側基板）
３　表示部形成領域
４　単位画素形成領域
５　反射膜
８　反射部
１０　透過部
１２　段差部
１４　反射部カラーフィルタ
１５　透過部カラーフィルタ
１８　非表示部形成領域
１９　シール
３２　半透過反射型液晶表示パネル
３３　疑似反射部
３４　疑似透過部
３６　疑似反射部第２遮光膜
３７　疑似段差部
３８　疑似反射部第１遮光膜
３９　疑似透過部第２遮光膜
４０　疑似透過部第１遮光膜
【図１】
2004118025.tif 000003
【図２】
2004118025.tif 000004
【図３】
2004118025.tif 000005
【図４】
2004118025.tif 000006